(57)【特許請求の範囲】
【請求項１】
天板及び側壁を有する有底筒状の容器蓋本体を備え、真円でない瓶口に強制嵌合により取り付けられ、瓶口に対して左右何れかの方向に回動されることにより、上記の嵌合が外れるようになされた容器蓋において、
前記側壁の内面には、複数の突条が設けられ、
メンブレム付のインナーシール材が、前記天板に対して水平方向に回動可能となるように、前記容器蓋本体の内部において前記天板と前記複数の突条との間で保持されており、
前記インナーシール材の回動に対する弾性復元力を前記インナーシール材に対して付与すると共に、前記インナーシール材を前記容器蓋本体に対して所定位置に保持する弾性保持手段を備えることを特徴とする容器蓋。
【請求項２】
前記容器蓋本体の内部に、裏板が固定され、
前記裏板は、前記天板と前記インナーシール材との間に位置すると共に、複数のばね部材を有しており、
前記複数のばね部材は、前記弾性保持手段として機能することを特徴とする、請求項１に記載された容器蓋。
【請求項３】
前記側壁の内面には、前記容器蓋本体の内方に突出する複数のばね片が設けられ、
前記複数のばね片は、前記弾性保持手段として機能することを特徴とする、請求項１に記載された容器蓋。
【請求項４】
前記天板と前記インナーシール材との間に位置する裏板を有し、
前記裏板の周囲には、前記側壁の内面に接する複数のばね部材が設けられ、
前記インナーシール材は、前記裏板に一体的に接合され、
前記複数のばね部材は、前記弾性保持手段として機能することを特徴とする、請求項１に記載された容器蓋。
【発明の詳細な説明】
【０００１】
【発明の属する技術分野】
本発明は、真円でない瓶口に着脱可能に嵌合する所謂スナップ・オン・キャップと称される容器蓋に係り、詳しくは、予め裏面に容器口密閉用のメンブレムが取り付けられたインナーシール材を備えた容器蓋に関する。
【０００２】
【従来の技術】
一般に開封前のインスタントコーヒー、ミルクパウダー、ココアなどの収納瓶の口部には、メンブレムと称されるアルミシートが貼着され、内容物が湿ったり、酸化したりすることを防止するように内容物を気密に保持するようになっている。
【０００３】
このメンブレムは、使用に際して瓶口から剥がされ、その後の瓶口の密閉は、容器蓋の裏面に取り付けられたインナーシール材が、瓶口の上端面に圧接することによりなされていた。
【０００４】
ここにおいて、従来、メンブレムを瓶の口部に貼着するには、予めこのメンブレムをインナーシール材の裏面に仮止めしておき、瓶口の端部、あるいはメンブレムの瓶口端部に対応する位置に接着剤を塗布した後、容器蓋を瓶口に被せることによりなされていた。そして、使用に際して、容器蓋を瓶口から取り外すと、このメンブレムは、接着力の弱いインナーシール材から剥がされて瓶口に残り、この瓶口を気密に塞いだ状態で外部に現れるようになっていた。なお、容器蓋を瓶口に取り付けるには、瓶口が円形の場合は、螺合によるものが一般的であるが、この場合、容器蓋を回転させて瓶口から着脱する操作が面倒であり、また瓶口や容器蓋の形状も限られるので、近年の高付加価値商品用として需要の高まっている種々の形状の瓶に対応できないという問題点があった。
【０００５】
そこで、このような場合、従来は、強制嵌合により、容器蓋を瓶口に取り付けるようにしていた。図１０は、このように強制嵌合により瓶口に取り付けられる容器蓋４０の一例を示した裏面図である。図示したようにこの容器蓋４０は、横長の平面形状に形成されており、内周壁４０ａの三方に設けられた突起４１を、図９並びに図１１に示したように、楕円形の瓶口３１を有する瓶３０の前記瓶口３１の外周に設けられた凸部３２に係合させることにより、この瓶口３１を被嵌して取り付けられるようになっており、取り外す際は、図１１に示したように、容器蓋４０の突起４１が設けられていない一側を引き上げることにより、突起４１，４１が対向突設された個所の内周壁４０ａを外方に撓ませ、突起４１と凸部３２との係合を外すようにしていた。
【０００６】
また、この他にメンブレムの取付機能は有さないが、楕円や角形の瓶口にワンタッチで着脱できる所謂スナップ・オン・キャップと称されるものとしては、特許第２７４４８１０号や実用新案登録第２５５０１８４号に示されるものがあった。これらのものは、真円でない瓶口に嵌合した容器蓋を、左右何れかの方向にねじることにより、その嵌合した下端部分（スカート部）を変形させ、嵌合を外すようにしたものである。
【０００７】
【発明が解決しようとする課題】
上述した従来の容器蓋では、まず図１０並びに図１１に示したものでは、容器蓋は内周壁の三方に設けられた突起が、瓶口の凸部に係合することにより、この瓶口を塞ぐようになっている。従って、突起が設けられていない側のシール性を確保することが困難であるという問題点があった。
【０００８】
また、容器蓋の一側を持ち上げる際の抵抗力が大きく、容器蓋を瓶口から外し難いという問題点があり、さらにこの時、容器蓋が撓んで、その裏面に固定保持されているインナーシール材が剥がれ落ちる虞れもあった。そればかりか、容器蓋が撓むと、インナーシール材の裏面に接合されているメンブレムがインナーシール材からきれいに剥がれず、メンブレムに負荷がかかってその中央部に皺が生じるなどし、商品価値を低下させるという問題点もあった。
【０００９】
また、特許第２７４４８１０号や実用新案登録第２５５０１８４号に示された容器蓋は、ねじることにより瓶口から取り外されるようになっているので、通常の使用時において、その着脱操作は比較的容易に行えるものの、この容器蓋をメンブレムの取り付けに用いると、使用開始の際に、インナーシール材に接合したメンブレムには、横方向の力が作用し、この横方向の力のみでメンブレムをインナーシール材から剥がさなくてはならず、しかも容器蓋には、瓶口との嵌合力も作用しているので、これらの力に打ち勝って容器蓋を回動させることは、事実上、殆ど不可能であるという問題点があった。
本発明は、上記従来の容器蓋が有していた問題点の解決を課題とする。
【００１０】
【課題を解決するための手段】
上記の課題を解決するために、本発明のうち、請求項１記載の発明は、真円でない瓶口に強制嵌合により取り付けられ、瓶口に対して左右何れかの方向に回動されることにより、上記の嵌合が外れるようになされた容器蓋において、この容器蓋の本体の裏面に、メンブレム付のインナーシール材を、弾性保持手段を介して水平方向に揺動可能に取り付けたことを特徴とする。
【００１１】
請求項２記載の発明は、請求項１記載の発明の構成において、弾性保持手段を、容器蓋本体の内部に固定される裏板に設けられた複数のばね部材と限定したことを特徴とする。
【００１２】
請求項３記載の発明は、請求項１記載の発明の構成において、弾性保持手段を、容器蓋本体に一体的にその内方に突出するように設けられた複数のばね片と限定したことを特徴とする。
【００１３】
請求項４記載の発明は、請求項１記載の発明の構成において、弾性保持手段を、外側に容器本体の内周壁に接するばね部材が設けられ、容器蓋本体の内部に揺動可能に取り付けられる裏板と限定したことを特徴とする。
【００１４】
【発明の実施の形態】
以下、本発明を図示した実施の形態に基づき詳細に説明する。
図１は、本発明に係る容器蓋１０の実施形態による裏面側分解斜視図である。図示したようにこの容器蓋１０は、合成樹脂で角蓋状に成形された本体１と、この本体１の内部に取り付けられる裏板２と、裏板２の下側（図１において上側）に保持され、閉蓋時に瓶口と接してこの瓶口を密封するインナーシール材３とで構成されている。
【００１５】
本体１は、内周壁１ａの四方に瓶口との係合用の突起１ｂ，１ｃが設けられると共に、この突起１ｂ，１ｃの上方（図１において下方）に、裏板２を脱落不可に保持するための突条１ｄ，１ｅが設けられたものである。
【００１６】
インナーシール材３は、図９に示したような楕円形の瓶口３１を有する瓶３０の前記瓶口３１を閉蓋し得るように、弾性材で略菱形に形成されている。このインナーシール材３の片面（下面側）には、予めメンブレムと称される瓶口密閉用の部材が弱い接着力で一体的に接合されている。このメンブレム３ａは、一般的にアルミ箔で形成されている。
【００１７】
裏板２は、本体１の内部に装着できるように、本体１の内側の形状よりやや小さく形成されたものであり、その四方の外側には、湾曲板状のばね部材２ａが外方に突出するように一体的に設けられている。なお、このばね部材２ａは、金属板で形成し、後から裏板２に取り付けるようにしても良いが、可撓性を有する合成樹脂材で裏板２と一体成形すれば、製造が容易で組立の手間も要さず、望ましい。
【００１８】
上記の各部で構成される本発明の容器蓋１０は、図１に矢印で示すように本体１の裏側から裏板２とインナーシール材３を、この順で本体１の内周壁１ａに突設された突条１ｄ，１ｅの内方に嵌め込むことにより、組み立てられる。このことで裏板２は、本体１の内周壁１ａで外嵌されて不動に固定され、この裏板２の下方に位置したインナーシール材３は、突条１ｄ，１ｅで脱落不可にかつ水平方向にある程度揺動可能に保持される。
【００１９】
なお、上記の組立の際、インナーシール材２は、表面に貼着されたメンブレム３ａが外側に位置するようにしておく。
【００２０】
上記構成の容器蓋１０は、従来例において説明したものと同様に、図９に示したような瓶３０の楕円形の瓶口３１の上端部、あるいはメンブレム３ａの瓶口端部に対応する位置に接着剤を塗布した後、容器蓋１０を瓶口３１に嵌合させることにより、メンブレム３ａが瓶口３１端部に接着されるようになっている。このことで、瓶口３１が気密に塞がれ、インスタントコーヒーやミルクパウダーなどの収納物が、購買者の手元に渡って開封されるまで、湿ったり、変質したりすることがないように安全に保持されるものである。
【００２１】
そして、購買者の手元に渡って使用を開始する際に、容器蓋１０と瓶口３１との係合を外すために容器蓋１０を瓶口３１に対して横方向にねじると、本発明の容器蓋１０では、メンブレム３ａ付きのインナーシール材３は、容器蓋本体１に対して横（水平）方向に揺動可能に取り付けられているので、瓶口３１にメンブレム３ａが接着したインナーシール材３は、移動することができず、容器蓋１０の本体１と裏板２のみが図５に示したように回動する。この状態で突起１ｂ，１ｃは、瓶口３１の外周に設けられた凸部３２との係合が外れるので、容器蓋１０を瓶口３１から離れる方向に引き上げることができる。よって、弱い接着力でインナーシール材３に接合されているメンブレム３ａは、垂直方向に作用する力により容易にインナーシール材３から引き剥がされる。そして、容器蓋１０を瓶口３１から取り外すと、メンブレム３ａが瓶口３１を密閉した状態で外部に現れるので、このメンブレム３ａを開封することにより内容物の取り出しが可能となるものである。
【００２２】
一方、瓶口３１から取り外された容器蓋１０のインナーシール材３は、本体１の裏面に取り付けられた裏板２の対角線方向に設けられたばね部材２ａ，２ａが、図５に示すようにその外側面に接することにより、その弾性復元力で図２に示した元の状態に復帰する。よって、この容器蓋１０を瓶口３１に被せ、下方に押圧することにより、瓶口３１に嵌合させると、インナーシール材３は、楕円形の瓶口３１に正対した状態で、この瓶口３１を塞ぐようにその上端に圧接されることとなる。
【００２３】
以上のようにして本発明の容器蓋１０では、メンブレム３ａの開封後の瓶口３１の封鎖は、インナーシール材３が瓶口３１の上端に圧接することによりなされる。
【００２４】
なお、上記では、裏板２を本体１の内部に動かないように嵌め込み、この裏板２に設けられたばね部材２ａでインナーシール材３のみを揺動させるようにした例を示したが、裏板２をインナーシール材３とはぼ同様の形状に形成し、その外側に突設されたばね部材２ａを本体１の内周壁１ａに接触させることにより、裏板自体を本体の裏面に揺動可能に取り付けるようにしても良い。なお、この場合、インナーシール材３は、予め裏板に一体的に接合しておけば良く、このようにすれば、組立作業性の向上が図られることとなる。
【００２５】
図６は、本発明の他の実施形態を示した容器蓋２０の裏面側の分解斜視図である。図示したようにこの場合は、上記の裏板２の代わりに、本体１１の内周壁１１ａから内方に突出するように付勢して設けられた複数のばね片１１ｂでインナーシール材３の弾性保持手段を構成している。従って、本体１１の内周壁１１ａに設けられた突条１１ｃ，１１ｄで脱落不可に保持されたインナーシール材３は、図７に示すように、その前後左右の四方にばね片１１ｂが当接することにより、本体１１内部の所定位置に保持されるようになっている。よって、使用開始の際に、図８に矢印で示したように容器蓋２０と瓶口（図示せず）との係合を外すために、この容器蓋２０を横方向にねじると、上記の場合と同様にインナーシール材３は、瓶口に接合した状態で移動しないようになっている。
【００２６】
その後のメンブレム３ａの開封操作並びに閉蓋については、上記の場合と全く同様であるのでその説明を省略する。
【００２７】
なお、上記ばね片１１ｂは、金属板で形成し、後から本体１１に取り付けるようにしても良いが、可撓性を有する合成樹脂材で本体１１と一体に成形することとすれば、製造が容易でかつ組立の手間も要さないので、望ましい。また、上記の他の実施の形態においては、裏板のない容器蓋２０を例示したが、本体１１の裏面に裏板（図示せず）を一体成形により設けても良く、この場合、インナーシール材の弾性保持手段となるばね片を、この裏板にさらに一体成形することとしても良い。
【００２８】
なお、図示した実施の形態では、楕円形の瓶口３１を塞げるように、略菱形に形成されたインナーシール材３を例示したが、このインナーシール材３、並びにその表面に貼着されるメンブレム３ａは、真円でない瓶口に接して、この瓶口を密閉できるものであれば良く、その形状は図示した実施の形態に限らないことは言うまでもない。
【００２９】
【発明の効果】
以上説明したように、本発明のうち、請求項１記載の発明は、容器蓋の裏面にインナーシール材を弾性保持手段を介して水平方向に揺動可能に取り付けることとしたので、容器蓋と瓶口との嵌合を外す際に、このインナーシール材は移動せず、容器蓋を外すときに初めて瓶口に接着固定されているメンブレムからインナーシール材を引き剥がす方向の力が作用する。よって、垂直方向に作用する力でメンブレムをインナーシール材から容易に引き剥がすことができ、従来、真円でない瓶口に嵌着されるタイプの容器蓋においては、導入が困難であった方式により、メンブレムを瓶口に取り付けることができる。
【００３０】
請求項２記載の発明は、弾性保持手段となるばね部材を、本体の内部に取り付けられる裏板に設けることとしたので、上記請求項１記載の発明の効果に加えて、この種の容器蓋を容易に製造できるという効果がある。
【００３１】
請求項３記載の発明は、弾性保持手段となるばね片を容器蓋に一体成形することとしたので、上記請求項１記載の発明の効果を奏する容器蓋をコスト低廉に製造することができ、かつその組立の手間もかからなくなるという効果がある。
【００３２】
請求項４記載の発明は、弾性保持手段を、外側に容器本体の内周壁に接するばね部材が設けられた裏板とし、この裏板にインナーシール材を貼り付けることとしたので、柔軟なインナーシール材の使用が可能となり、上記請求項１記載の発明の効果に加えて、瓶口の密閉度が向上するという効果が得られる。
【図面の簡単な説明】
【図１】本発明に係る容器蓋の実施形態を示した裏面側の分解斜視図である。
【図２】図１に示した容器蓋の組立状態の裏面図である。
【図３】図２のＡ−Ａ’線の断面図である。
【図４】図２のＢ−Ｂ’線の断面図である。
【図５】図１に示した容器蓋の動作説明図である。
【図６】本発明に係る容器蓋の他の実施形態を示した裏面側の分解斜視図である。
【図７】図６に示した容器蓋の組立状態の裏面図である。
【図８】図６に示した容器蓋の動作説明図である。
【図９】容器蓋が嵌着される対象となる瓶の一例を示した平面図である。
【図１０】容器蓋の従来例を示した裏面図である。
【図１１】従来の容器蓋の取り外し説明図である。
【符号の説明】
１，１１  本体
１ａ，１１ａ  内周壁
１ｂ，１ｃ  突起
１ｄ，１ｅ  突条
１１ｂ  ばね片
２  裏板
２ａ  ばね部材
３  インナーシール材
３ａ  メンブレム
１０，２０  容器蓋
【図１】
0004217327.tif 000002
【図２】
0004217327.tif 000003
【図３】
0004217327.tif 000004
【図４】
0004217327.tif 000005
【図５】
0004217327.tif 000006
【図６】
0004217327.tif 000007
【図７】
0004217327.tif 000008
【図８】
0004217327.tif 000009
【図９】
0004217327.tif 000010
【図１０】
0004217327.tif 000011
【図１１】
0004217327.tif 000012